(57)【特許請求の範囲】
【請求項１】
中仕切によって区分された複数の収納部を有する本体と、該本体の各収納部の開口部を覆う蓋体とからなる紙箱であって、該蓋体は、１枚の外蓋と、前記各収納部に対応し、該外蓋から折罫線を介して連設された複数の内蓋を有し、該複数の内蓋は、前記外蓋の相対向する側辺から左右交互に連設されており、各内蓋の前記折罫線と対向する辺には、本体に設けた蓋ヒンジ用切込みに挿入することでそれぞれの内蓋を本体の側辺に固定するための内蓋に連設したヒンジ差込片からなる固定手段とヒンジ部とを有し、外蓋の前記折罫線と対向する辺には、本体に設けた蓋ロック用切込みに挿入することで外蓋を閉じた時に本体に固定するための蓋ロック片からなる固定手段を有し、前記左右いずれかのヒンジ部を中心としてそのヒンジ部が所属する内蓋および外蓋が一体に開閉するようにして、蓋体は本体から取外し可能であるとともに、蓋ヒンジ用切込みよりも下部に蓋ロック用切込みが配置されていることを特長とする紙箱。
【請求項２】
本体は、二重壁構造を有することを特長とする請求項１に記載の紙箱。
【請求項３】
収納部を二つ有することを特長とする請求項１または２に記載の紙箱。
【請求項４】
前記複数の収納部の間口幅は、均等であることを特長とする請求項１〜３のいずれか１項に記載の紙箱。
【発明の詳細な説明】
【技術分野】
【０００１】
本発明は紙箱に関し、特に２つ以上の収納空間を有し、蓋の開閉方向によって収納空間を切り替えて使用することのできる紙箱に関する。
【背景技術】
【０００２】
複数の収納空間を有し、これらの収納空間を別々に使用することのできる紙箱が知られている。特許文献１に記載された対向開封式二連容器は、収納部を仕切板で二分した二連容器のそれぞれの収納部に、対向して開封装置を付設した対向開封式二連容器である。この容器は、菓子などの容器として使用し、二人が向い合って食べる場合などを想定した容器である。
【０００３】
特許文献２に記載された仕切蓋付き包装箱は、収納空間を二分する仕切壁部分をヒンジ部として、独立に開閉する二つの蓋を設けた包装箱である。この包装箱は、異なる２種類の商品を収納して、目的の商品を間違いなく取り出すことができると共に、特定の種類の商品だけを見せて陳列できることを特長とする。
【先行技術文献】
【特許文献】
【０００４】
【特許文献１】実公平4-41063号公報
【特許文献２】特開2009-269667号公報
【発明の概要】
【発明が解決しようとする課題】
【０００５】
特許文献１に記載された二連容器は、対向する方向から内容物を取り出すことのできる二つの開口部を有するが、二つの開口部はそれぞれ完全に独立しており、二つ同時に開くこともできるものである。また開封した開口部は、再封性を前提としておらず、従ってこの容器は使い捨て用途に限られる。
【０００６】
特許文献２に記載された仕切蓋付き包装箱は、必ずしも使い捨てではないが、蓋の機能については同様であって、二つの蓋は独立しており、同時に開くことができる。
【０００７】
本発明の解決しようとする課題は、複数の収納部を同時に開くことはできず、一方の収納部を開いた場合には他方の収納部を開くことができない、排他選択的な使用を可能とした紙箱を提案するものである。
【課題を解決するための手段】
【０００８】
上記の課題を解決するための手段として、請求項１に記載の発明は、中仕切によって区分された複数の収納部を有する本体と、該本体の各収納部の開口部を覆う蓋体とからなる紙箱であって、該蓋体は、１枚の外蓋と、前記各収納部に対応し、該外蓋から折罫線を介して連設された複数の内蓋を有し、該複数の内蓋は、前記外蓋の相対向する側辺から左右交互に連設されており、各内蓋の前記折罫線と対向する辺には、本体に設けた蓋ヒンジ用切込みに挿入することでそれぞれの内蓋を本体の側辺に固定するための内蓋に連設したヒンジ差込片からなる固定手段とヒンジ部とを有し、外蓋の前記折罫線と対向する辺には、本体に設けた蓋ロック用切込みに挿入することで外蓋を閉じた時に本体に固定するための蓋ロック片からなる固定手段を有し、前記左右いずれかのヒンジ部を中心としてそのヒンジ部が所属する内蓋および外蓋が一体に開閉するようにして、蓋体は本体から取外し可能であるとともに、蓋ヒンジ用切込みよりも下部に蓋ロック用切込みが配置されていることを特長とする紙箱である。
【０００９】
本発明に係る紙箱は、蓋体を２重構造とし、１枚の外蓋に対して、各収納部に対応し、
外蓋から折罫線を介して連設された複数の内蓋を備え、該複数の内蓋は、外蓋の相対向する側辺から左右交互に連設されており、各内蓋の折罫線と対向する辺には、それぞれの内蓋を本体の側辺に固定するための固定手段とヒンジ部とを有し、左右いずれかのヒンジ部を中心としてそのヒンジ部が所属する内蓋および外蓋が一体に開閉するようにしたので、蓋体は左右どちらにも開くことが可能である反面、一方の側に開いた時に他の側の収納部はその内蓋によって閉じられているため、いずれか一方の側の収納部しか同時には開くことができず、同時に左右両側の収納部を開くことはできない構造となっている。
【００１０】
また、請求項２に記載の発明は、本体が、二重壁構造を有することを特長とする請求項１に記載の紙箱である。
【００１１】
また、請求項３に記載の発明は、収納部を二つ有することを特長とする請求項１または２に記載の紙箱である。
【００１２】
また、請求項４に記載の発明は、前記複数の収納部の間口幅が、均等であることを特長とする請求項１〜３のいずれか１項に記載の紙箱である。
【発明の効果】
【００１４】
本発明に係る紙箱は、複数の収納部を有する本体に対して、それぞれの収納部を覆う内蓋と１枚の共通する外蓋を備え、内蓋の先端部分にヒンジを設け、内蓋の可動部分を折罫線を介して外蓋に連結した構造であり、外蓋の左右の側辺に複数の内蓋を振分けるようにしたことにより、蓋体を一方の側に開くと、他方の側は内蓋が収納部を覆った状態で残っており、同時に両方の側を開くことはできない。
【００１５】
この事は、例えば２つの収納部に異なる物品を収納し、いずれか一方の物品しか同時には取出せないようにすることが可能であることを意味する。このような用途の例としては、例えば、朝用の薬と夜用の薬が異なるような場合に、間違いなく服用することができる収納ケースとして利用することができる。
【００１６】
また例えば、二つの収納部に異なる味の菓子を収納したり、一方の収納部に菓子を収納し、他方の収納部をごみ箱として利用したり、その他様々な利用方法が考えられる。
【００１７】
例えば逆に、左右を全く同じデザインにすることにより、二つの収納部を混同する錯覚を起させる手品の道具として利用することもできる。
【００１８】
また、請求項２に記載の発明において、本体が、二重壁構造を有する場合には、容器の剛性が高まり、しっかりした高級感のある箱とすることができる。
【００１９】
また、請求項３に記載の発明におけるように、収納部を二つ有する場合には、本発明に係る紙箱の特徴である蓋の開閉における排他的選択性の特長が最も端的に発揮される。
【図面の簡単な説明】
【００２０】
【図１】図１は、本発明に係る紙箱の最も代表的な実施態様を示した斜視図である。
【図２】図２は、図１に示した紙箱の本体のブランクを紙の表面側から見た展開図である。
【図３】図３は、図１に示した紙箱の蓋体のブランクを紙の表面側から見た展開図である。
【図４】図４は、図１に示した紙箱の中仕切のブランクを紙の表面側から見た展開図である。
【図５】図５は、本発明に係る紙箱の他の実施態様を示した斜視図である。
【発明を実施するための形態】
【００２１】
以下図面に従って、本発明に係る紙箱について詳細に説明する。
図１は、本発明に係る紙箱の最も代表的な実施態様を示した斜視図である。また図２は、図１に示した紙箱の本体のブランクを、また図３は、蓋体のブランクを、また図４は、中仕切のブランクを、それぞれ紙の表面側から見た展開図である。以下これらの図を参照しながら説明する。
【００２２】
本発明に係る紙箱（１）は、中仕切（４）によって区分された複数の収納部を有する本体（２）と、本体（２）の各収納部の開口部を覆う蓋体（３）とからなる紙箱である。図１に示した実施態様においては、Ａ収納部（５）とＢ収納部（６）の２つの収納部が設けられている。
【００２３】
蓋体（３）は、１枚の外蓋（２１）と、各収納部に対応し、外蓋（２１）から折罫線（２１Ａ、２１Ｂ）を介して連設された複数の内蓋を有する。図１では２つの内蓋（２２Ａ、２２Ｂ）が、外蓋（２１）の相対向する側辺から左右交互に連設されている。各内蓋の折罫線（２１Ａ、２１Ｂ）と対向する辺には、それぞれの内蓋を本体の側辺に固定するための固定手段とヒンジ部とが設けられている。図１では、ヒンジ差込片（２３Ａ、２３Ｂ）を蓋ヒンジ用切込み（１７Ａ、１７Ｂ）に挿入することにより、ヒンジ部（２４Ａ、２４Ｂ）が、本体側辺に固定される。
【００２４】
外蓋（２１）の折罫線（２１Ａ、２１Ｂ）と対向する辺には、外蓋（２１）を閉じた時に本体（２）に固定するための固定手段を有する。図１では、蓋ロック片（２６Ｂ）を蓋ロック用切込み（１８Ｂ）に挿入することによって外蓋（２１）が本体（２）に固定される。
【００２５】
左右いずれかのヒンジ部、図１ではヒンジ部（２４Ｂ）を中心としてヒンジ部（２４Ｂ）が所属する内蓋であるＢ収納部用内蓋（２２Ｂ）および外蓋（２１）が一体に開いている。
【００２６】
Ｂ収納部用内蓋（２２Ｂ）および外蓋（２１）を閉じ、蓋ロック片（２６Ｂ）を蓋ロック用切込み（１８Ｂ）に挿入して固定した後、図１では見えない蓋ロック片（２６Ａ）を外して、外蓋（２１）を反対方向に開くと、Ａ収納部用内蓋（２２Ａ）と外蓋（２１）とが一体となって、ヒンジ部（２４Ａ）を中心として回転し、Ａ収納部（５）が開く。この時、Ｂ収納部（６）は、Ｂ収納部用内蓋（２２Ｂ）によって閉じられた状態になる。
【００２７】
このように、本発明に係る紙箱（１）は、Ａ、Ｂいずれかの収納部しか同時には開くことができない構造になっている。この事は、それぞれに収納した内容物を間違いなく区別して取り出す必要がある場合において、図１に示したように、例えばＡ収納部（５）とＢ収納部（６）にそれぞれを表す明確な表示をすることによって、極めて高い効果をもたらすこととなる。
【００２８】
なお内蓋を本体側辺に固定する手段としては、この例に限らず、例えば内蓋に連設した
糊代を本体側辺に接着して固定してもよい。図１〜４に示した実施態様における様に、ヒンジ差込片（２３Ａ、２３Ｂ）を蓋ヒンジ用切込み（１７Ａ、１７Ｂ）に挿入する方法であれば、蓋体全体を本体から取外すことが可能となり、内容物の充填時などには、便利である。
【００２９】
また外蓋（２１）を本体に固定する手段についても、特に限定されず、ホックやマグネットホック、マジックテープ（登録商標）等のファスナー類を利用する方法や、粘着テープを利用した方法などでもよい。
【００３０】
図１〜４に示した実施態様においては、本体（２）が、二重壁構造を有する。本体（２）は、必ずしも二重壁構造である必要はないが、蓋体（３）が平面状であるため、本体（２）が二重壁構造であると密封性が良く、箱としての納りが良い。また本体（２）の剛性が高まり、高級感のあるしっかりした箱になる。
【００３１】
壁が二重であると、壁の上端面は、笠木部（１６Ａ〜１６Ｄ）を形成する。これに合わせて、中仕切（４）の上端面も中仕切笠木部（３２）を形成するようにすると内蓋同士がぶつからないようにするための隙間を設けることができるので、都合が良い。
【００３２】
図５は、本発明に係る紙箱（１）の他の実施態様を示した斜視図である。
本発明に係る紙箱（１）の収納部は２つに限定されるものではなく、図５に示したように３つでも、またこれ以上でも良い。図５に示した実施態様では、図示したように中央のＢ収納部（６）が開く場合と、外側のＡ収納部（５）とＣ収納部（７）が同時に開く場合との、いずれかが排他的に選択されることとなる。
【００３３】
本発明に係る紙箱（１）の収納部の大きさは、収納する物品の量や大きさにより、自由に配置することができる。図１や図５に示した実施態様においては、各収納部の間口幅は、いずれも等しく均等であるが、それぞれの間口幅が不均等でも良いことは改めていうまでもない。
【００３４】
図２〜４は、図１に示した紙箱の本体（２）、蓋体（３）、中仕切（４）のそれぞれのブランク（１０、２０、３０）を、紙の表面側から見た展開図である。図中、実線は輪郭線および切込線を示している。点線は谷折り罫線（ｔ）を、また一点鎖線は山折り罫線（ｙ）を示している。
【００３５】
図２に示したように、本体ブランク（１０）は、底板（１１）を中心として、紙箱（１）の側面を構成する長辺外壁Ａ（１２Ａ）および長辺外壁Ｂ（１２Ｂ）ならびにＡ収納部外壁（１３Ａ）、Ｂ収納部外壁（１３Ｂ）をそれぞれ山折り罫線（ｙ）を介して連設し、これらの間にはコーナー折込片（１４Ａ〜１４Ｄ）が同様に山折り罫線（ｙ）を介して繋がっている。各コーナー折込片には、対角線状の谷折り罫線（ｔ）がある。
【００３６】
上記４枚の外壁（１２Ａ、１２Ｂ、１３Ａ、１３Ｂ）の外側には、笠木部（１６Ａ〜１６Ｄ）が、またさらに笠木部（１６Ａ〜１６Ｄ）の外側には、箱の内壁となるべき共通内壁Ｃ（１２Ｃ）、共通内壁Ｄ（１２Ｄ）、Ａ収納部内壁（１３Ｃ）、Ｂ収納部内壁（１３Ｄ）が、それぞれ山折り罫線を介して連設されている。左右の内壁同士は、インターロック片（１５Ａ）とインターロック片（１５Ｂ）、およびインターロック片（１５Ｃ）とインターロック片（１５Ｄ）とがそれぞれ組み合うことによって固定されるようになっている。
【００３７】
共通内壁Ｃ（１２Ｃ）、共通内壁Ｄ（１２Ｄ）のそれぞれの中央部には、中仕切（４）の中仕切ロック用突起（３４）が嵌合するための中仕切差込孔（１９Ａ）、（１９Ｂ）が
設けられている。
【００３８】
図３は、蓋体（３）のブランク（２０）を紙の表面側から見た展開図である。
外蓋（２１）を中心として、２枚の内蓋であるＡ収納部用内蓋（２２Ａ）とＢ収納部用内蓋（２２Ｂ）が、山折り罫線である外蓋折罫線（２１Ａ）、（２１Ｂ）を介して連設されている。
【００３９】
２枚の内蓋は、それぞれ外蓋折罫線（２１Ａ）、（２１Ｂ）に沿って１８０°折り込まれて外蓋（２１）の裏側に収納される。各内蓋の先端には、蓋体（３）を本体（２）の側辺に固定するための固定手段であるヒンジ差込片（２３Ａ）、（２３Ｂ）が、ヒンジ部（２４Ａ）、（２４Ｂ）となる折罫線を介して連設されている。
【００４０】
外蓋（２１）の、外蓋折罫線（２１Ａ）、（２１Ｂ）と対向する辺には、それぞれ外蓋を閉じた時に本体に固定するための固定手段である蓋ロック片（２６Ｂ）、（２６Ａ）が設けられている。それぞれの蓋ロック片には、開封つまみ（２５Ｂ）、（２５Ａ）が連設されており、この開封つまみを手で持って、蓋ロック片を本体（２）の長辺外壁に設けられた蓋ロック用切込み（１８Ｂ）、（１８Ａ）に挿入することにより、外蓋（２１）が本体（２）に固定される。
【００４１】
本発明に係る紙箱は、以上のように、単純な構造でありながら、複数の収納部を排他選択的に開閉することができるので、この性質を利用してさまざまな興味深い用途に展開することが可能である。
【符号の説明】
【００４２】
１・・・紙箱
２・・・本体
３・・・蓋体
４・・・中仕切
５・・・Ａ収納部
６・・・Ｂ収納部
７・・・Ｃ収納部
１０・・・本体ブランク
１１・・・底板
１２Ａ・・・長辺外壁Ａ
１２Ｂ・・・長辺外壁Ｂ
１２Ｃ・・・共通内壁Ｃ
１２Ｄ・・・共通内壁Ｄ
１３Ａ・・・Ａ収納部外壁
１３Ｃ・・・Ａ収納部内壁
１３Ｂ・・・Ｂ収納部外壁
１３Ｄ・・・Ｂ収納部内壁
１４Ａ、１４Ｂ、１４Ｃ、１４Ｄ・・・コーナー折込片
１５Ａ、１５Ｂ、１５Ｃ、１５Ｄ・・・インターロック片
１６Ａ、１６Ｂ、１６Ｃ、１６Ｄ・・・笠木部
１７Ａ、１７Ｂ・・・蓋ヒンジ用切込み
１８Ａ、１８Ｂ・・・蓋ロック用切込み
１９Ａ、１９Ｂ・・・中仕切差込孔
２０・・・蓋体ブランク
２１・・・外蓋
２１Ａ、２１Ｂ外蓋折罫線
２２Ａ・・・Ａ収納部内蓋
２２Ｂ・・・Ｂ収納部用内蓋
２２Ｃ・・・Ｃ収納部用内蓋
２３Ａ、２３Ｂ・・・ヒンジ差込片
２４Ａ、２４Ｂ・・・ヒンジ部
２５Ａ、２５Ｂ・・・開封つまみ
２６Ａ、２６Ｂ・・・蓋ロック片
３０・・・中仕切ブランク
３１Ａ、３１Ｂ・・・底敷き
３２・・・中仕切笠木部
３３Ａ、３３Ｂ・・・中仕切板
３４・・・中仕切ロック用突起
ｙ・・・山折り罫線
ｔ・・・谷折り罫線
【図１】
0005970791.tif 000002
【図２】
0005970791.tif 000003
【図３】
0005970791.tif 000004
【図４】
0005970791.tif 000005
【図５】
0005970791.tif 000006